(57)【要約】【課題】  従来システムを利用しつつ、既設貯留槽より飛灰を乾粉のまま抜き取り、バキューム車に積込んでセメント工場に輸送し、水洗処理あるいはそのままセメントの原料としてリサイクル処理したい。【解決手段】  従来の飛灰処理設備に、バキューム車に対して乾灰のまま飛灰を積込むバキューム設備を付加し、前記バキューム設備には飛灰処理設備中の飛灰貯留槽と第１の定量供給機との間に設けた二軸スクリューフィーダーからなる安定引き抜き装置と、この安定引き抜き装置より排出される飛灰を安定して移送するために設けた安定装置と、安定装置を経由した飛灰をバキューム輸送に必要な２次空気と混合しバキューム車能力に合わせた空気輸送運転を行なう定量供給機と、バキューム配管の途中に設けて飛灰中の異物を除去する異物除去装置と、バキューム車側の接続ホースに接続するための接続継手とを備えた。【選択図】図１
2005314022.tif 000002
【特許請求の範囲】
【請求項１】
焼却設備からコンベヤにて搬送されてきた飛灰を収納する飛灰貯留槽と、固化剤を収納する固化剤貯槽と、前記２つの各槽の出口に夫々設けて飛灰と固化剤とを計量する第１，第２の２つの定量供給機と、前記各定量供給機からの飛灰と固化剤及び薬液貯槽からの薬液が共に供給されて混練処理する混練機と、前記混練機からの被混練物が養生コンベヤを経由して埋立処理物を生成する飛灰処理設備において、前記飛灰処理設備には、バキューム車に対して乾灰のまま飛灰を積込むバキューム設備を付加すると共に、前記バキューム設備には前記飛灰処理設備中の飛灰貯留槽と第１の定量供給機との間に設けた二軸スクリューフィーダーからなる安定引き抜き装置と、前記安定引き抜き装置より排出される飛灰を安定して移送するために設けた安定装置と、前記安定装置を経由した飛灰をバキューム輸送に必要な２次空気と混合し、バキューム車能力に合わせた空気輸送運転を行なう定量供給機と、バキューム配管の途中に設けて飛灰中の異物を除去する異物除去装置と、バキューム車側の接続ホースに接続するための接続継手とを備えたことを特徴とする焼却飛灰積込みシステム。
【請求項２】
請求項１記載の焼却飛灰積込みシステムにおいて、定量供給機の前段のバキューム配管には熱風発生装置からの熱風を手動バルブを介して吹込む構成としたことを特徴とする焼却飛灰積込みシステム。
【請求項３】
請求項１記載の焼却飛灰積込みシステムにおいて、バキューム配管には検視管を設けて輸送物の状態を視認するようにした。
【発明の詳細な説明】
【技術分野】
【０００１】
本発明は、焼却場飛灰処理設備の既設貯留槽より、乾粉のまま飛灰を抜き取って運搬する場合に使用する焼却飛灰積込みシステムに関する。
【背景技術】
【０００２】
都市ごみ等の焼却場からは大量の飛灰が発生するが、これらは通常固化処理，薬剤処理及び溶触処理等を行なって減容し、処理物は，最終処分場にて埋め立て処理がなされている。
【０００３】
図２は従来システムを示す図であり、これによってその概要を説明する。
図２において、１は飛灰貯留槽であって飛灰輸送コンベヤ２に接続されている。３は固化剤貯槽で、これには固化剤受入管４を介して固化剤が補給されている。
【０００４】
５，６は定量供給機であり、これらを介して供給された飛灰及び固化剤の夫々は輸送コンベヤ７にて混練機８に投入され、薬液貯槽９からの薬液と共に混練機８にて混練され、養生コンベヤ１０を経由してバンカ又はピットに貯留され、埋立処分される。
【発明の開示】
【発明が解決しようとする課題】
【０００５】
しかし処理場の寿命にも限界があり、又、新規最終処分場の計画にも無理な場合が多く、将来に対しては不安がある。又、焼却飛灰の一部はブロックや煉瓦，タイルなどにリサイクルしているが、価格高や需要が少ないなどの問題を抱えている。なお、本発明に対しては特許文献等は特に見当たらない。
【０００６】
本発明は上記課題を解決するためになされたものであり、上記従来システムを利用しつつ、既設貯留槽より飛灰を乾粉のまま抜き取り、バキューム車に積込んでセメント工場に輸送し、水洗処理やあるいはそのままセメントの原料としてリサイクル処理することの可能な焼却飛灰積込みシステムを提供することを目的としている。
【課題を解決するための手段】
【０００７】
本発明の請求項１に係る焼却飛灰積込みシステムは、焼却設備からコンベヤにて搬送されてきた飛灰を収納する飛灰貯留槽と、固化剤を収納する固化剤貯槽と前記２つの各槽の出口に夫々設けて飛灰と固化剤とを計量する第１，第２の２つの定量供給機と、前記各定量供給機からの飛灰と固化剤及び薬液貯槽からの薬液が共に供給されて混練処理する混練機と、前記混練機からの被混練物が養生コンベヤを経由して埋立処理物を生成する飛灰処理設備において、前記飛灰処理設備には、バキューム車に対して乾灰のまま飛灰を積込むバキューム設備を付加すると共に、前記バキューム設備には前記飛灰処理設備中の飛灰貯留槽と第１の定量供給機との間に設けた二軸スクリューフィーダーからなる安定引き抜き装置と、前記安定引き抜き装置より排出される飛灰を安定して移送するために設けた安定装置と、前記安定装置を経由した飛灰をバキューム輸送に必要な２次空気と混合し、バキューム車能力に合わせた空気輸送運転を行なう定量供給機と、バキューム配管の途中に設けて飛灰中の異物を除去する異物除去装置と、バキューム車側の接続ホースに接続するための接続継手とを備えた。
【０００８】
本発明の請求項２に係る焼却飛灰積込みシステムは、請求項１において、定量供給機の前段のバキューム配管には、熱風発生装置からの熱風を手動バルブを介して吹込む構成とした。
【０００９】
本発明の請求項３に係る焼却飛灰積込みシステムは、請求項１において、バキューム配管には検視管を設けて移送物の状態を視認するようにした。
【発明の効果】
【００１０】
以上説明したように、本発明によれば、安定引き抜き装置の運転選択のみで輸送方向の切り替えを、二軸スクリューフィーダーの回転方向にて、既設処理設備とバキューム車への積込みを選択できる。
【発明を実施するための最良の形態】
【００１１】
図１は本発明による焼却飛灰積込みシステムの実施の形態を示す構成図であり、図１において図２と同一部分については同一符号を付して説明を省略する。そして図１の特徴部分は一点鎖線で囲まれた部分１００であり、この部分をバキューム設備と称す。その他は従来システムそのままである。
つまり従来システムはそのまま生かしつつ一点鎖線で囲まれた部分を作動させ、焼却飛灰を乾灰にて抜き取りバキューム車に積込んでセメント工場へ搬送し、運ばれた飛灰をセメント原料の一部としてリサイクル資源とすることを骨子としたものである。
【００１２】
以下に付加された部分である前記バキューム設備１００を説明する。先ず、従来システムの飛灰貯留槽１のホッパ部分を改変して短くし、この改変されたホッパと既設定量配給機５との間に空間を設け、この間に二軸スクリューフィーダーからなる安定引き抜き装置１１を介在させた。
【００１３】
この場合、貯留槽下部のホッパ出口には緊急及びメンテナンス用の打ち込みゲイト（塗りつぶした部分）を設けた。又、二軸スクリューフィーダーを採用した理由は、既設定量供給機５と今回付加した部分（バキューム設備）との両方に飛灰貯留槽１からの飛灰を供給可能とするためである。
即ち、正逆運転が可能であるからである。
【００１４】
１２はクッションホッパからなる安定装置であり、前記二軸スクリューフィーダーより排出された飛灰のバッファーとしてここに貯め、レベル計１３によってレベル制御するためのものである。即ち、レベル制御により二軸スクリューフィーダーの変速運転，詰まり防止等のための運転停止、安定供給を維持しようとしている。なお、１４は金網である。
【００１５】
なお、クッションホッパ１２は飛灰が閉塞しないように本体はステンレス製とし、内面にはエアーレイション装置を、又、外面にはノッカ装置を設け、ブリッジ防止対策を施してある。更に、内部には異物分離のための金網１４を取り付けて、下流機の異物噛み込みや配管内の詰まり防止対策がなされている。
【００１６】
定量供給機１５はロータリーフィーダー式で、電動機にて羽を回転させ、定量供給とエアシールとを行い、下部にある貫流部にてバキューム輸送に必要な２次空気と飛灰とを混合し、バキューム車の能力に合わせた空気輸送運転を行なう。
【００１７】
１６は２次空気取入口，１７は逆止弁、１８は熱風発生装置で飛灰を冷やさず輸送するために過熱空気を吹き込むものであり、２次空気の加熱により配管内部を加熱して飛灰の付着及びコーチング防止対策として設けた。１９は手動バルブ、２０は自動バルブ、２１は内容物の移動状態を視認する検視管であって透明ガラス管である。なお、自動バルブは動作開始により開放して空気を入れ、動作停止により閉止して管内へ外気の進入を防ぐと共に、シールを行なう。
【００１８】
２２は異物除去装置で配管途中に取り付けてあり、飛灰中の異物、固形物を金網１４で除去回収し、異物は手動にてバッチ排出されるようになっている。又、２３は接続継手、２４は接続ホースである。
【００１９】
焼却場よりセメント工場への飛灰輸送はバキューム車とジェットパック車の２車種により実施し、バキューム車は焼却場より配管にて吸引して積み込み、ダンピングしながら空気圧送にて排出する。又、ジェットパック車は上部ハッチより、自然落下にて積み込むが、積込み場所や専用貯槽が必要となり、荷卸はダンピング又は水平のまま空気圧送にて排出する。
セメント工場での荷卸は車に搭載のブロアーで空気圧送方式にて輸送し、同一配管の兼用が可能でセメント工場の受け入れ貯留槽に荷受けする。
【００２０】
次に動作について説明する。従来システム側の動作は焼却場にて、焼却飛灰中のダイオキシン類や重金属類などの有害物質を処理設備で薬剤と混練することにより、飛散や水に溶け出さないように処理し最終処分場に運搬し、埋め立て処分する方式である。
即ち、捕集された飛灰は貯留槽に集められ、定量供給し混練機にて薬剤と水で混練及び成形され反応養生にてピット又はバンカに一時保管され、専用車輌にて最終処分場に埋め立てている。
【００２１】
一方、本発明の場合、焼却飛灰貯留槽より安定引き抜き装置にて分岐して排出し、安定装置でレベル制御して、定量供給装置にて供給し、飛灰を供給装置下部にて２次空気と定量混合して送られる。
送られる飛灰は吸湿性がありバキュームで外気を２次空気として吸引するため、輸送管内の飛灰付着防止及び２次空気の加熱と、配管内の加熱用として熱風発生装置を取り付け、さらに、飛灰中の固形物や異物の除去は、異物除去装置にて行なわれる。
又、セメント工場への搬送は、乾灰にて抜き取ってバキューム車に積み込み、セメント工場へ搬送するため、既設処理設備も使用可能としバキューム車を採用する。
【産業上の利用可能性】
【００２２】
焼却灰は、セメント原料としてのリサイクル技術が解決され焼却場で飛灰を処理せず、セメント工場にて安全に原料として資源化され、処分場の周辺でのダイオキシン類や重金属類などの再飛散や土壌汚染の環境問題や処分場の延命化にも貢献できる。
【図面の簡単な説明】
【００２３】
【図１】本発明による焼却飛灰積込みシステムの実施の形態を示す構成図
【図２】従来システムを説明する図
【符号の説明】
【００２４】
１  飛灰貯留槽
２  飛灰輸送コンベヤ
３  固化剤貯槽
４  固化剤受入管
５，６  定量供給機
７  輸送コンベヤ
８  混練機
９  薬液貯槽
10  養生コンベヤ
11  安定引き抜き装置（二軸スクリューフィーダー）
12  安定装置（クッションホッパー）
13  レベル計
14  金網
15  定量供給機
16  ２次空気取入口
17  逆止弁
18  熱風発生装置
19  手動バルブ
20  自動バルブ
21  検視管
22  異物除去装置
23  接続継手
24  接続ホース
【図１】
2005314022.tif 000003
【図２】
2005314022.tif 000004